(57)【要約】      （修正有）【課題】溶接時に生じる熱のばらつきを抑えることによって良好な状態で接合できる注液栓、及び該注液栓を備える蓄電素子、並びに該蓄電素子の製造方法の提供。【解決手段】注液栓３５が、蓄電素子における電極体を収容するケースの壁面３２に形成される注液孔を覆い且つ壁面３２に対向する対向面を有する頭部３５１であって、外縁部が溶接されて壁面３２に接合される頭部３５１と、該対向面から突出し且つ壁面３２に当接する少なくとも一つの凸部を含む突出部３５２と、を有し、前記少なくとも一つの凸部は、頭部３５１の外縁部と壁面３２の外縁との間隔に応じて、頭部３５１の外縁部から頭部３５１の中央部３５５に向けてずれた位置に形成される、注液栓３５、及び注液栓３５を備える蓄電素子、並びに該蓄電素子の製造方法。【選択図】図５
2017016786.tif 000002
【特許請求の範囲】
【請求項１】
蓄電素子における電極体を収容するケースの壁面に形成される注液孔を覆い且つ前記壁面に対向する対向面を有する頭部であって、外縁部が溶接されて前記壁面に接合される頭部と、
該対向面から突出し且つ前記壁面に当接させる少なくとも一つの凸部を含む突出部と、を有し、
前記少なくとも一つの凸部は、前記頭部の外縁部と前記壁面の外縁との間隔に応じて、前記頭部の外縁部から前記頭部の中央部に向けてずれた位置に形成される
注液栓。
【請求項２】
電極体を収容するケースであって、内部と外部とに連通する注液孔が形成される壁面及び該注液孔を塞ぐ注液栓を有するケースを備え、
前記注液栓は、
前記注液孔を覆い且つ前記壁面に対向する対向面を有する頭部と、
該対向面から突出し且つ前記壁面に当接する少なくとも一つの凸部を有する突出部と、
前記頭部の外縁部が溶接されることによって前記壁面に接合された溶接部とを有し、
前記少なくとも一つの凸部は、前記頭部の外縁部と前記壁面の外縁との間隔に応じて、前記頭部の外縁部から前記頭部の中央部に向けてずれた位置に形成される
蓄電素子。
【請求項３】
前記ケースは、
開口を有する有底角筒形状のケース本体と、
一方向に長い矩形状の蓋板であって、該ケース本体の開口を塞ぐ蓋板とを有し、
前記注液孔を有する壁面は、該蓋板によって構成され、
前記突出部は、
前記凸部としての少なくとも一つの近接凸部であって、頭部の外縁部と長辺との間隔に応じて、蓋板の短辺方向において頭部の外縁部から頭部の中央部に向けてずれた位置に形成される少なくとも一つの近接凸部と、
前記凸部としての少なくとも一つの離間凸部であって、頭部の外縁部と短辺との間隔に応じて、蓋板の長辺方向において頭部の外縁部から頭部の中央部に向けてずれた位置に形成される少なくとも一つの離間凸部と、を有する
請求項２に記載の蓄電素子。
【請求項４】
前記突出部は、
一対の前記近接凸部と、
一対の前記離間凸部と、を有し、
該一対の近接凸部のそれぞれは、蓋板の短辺方向において、前記頭部の中央部の両側に形成され、
前記一対の離間凸部のそれぞれは、蓋板の長辺方向において、前記頭部の中央部の両側に形成される
請求項３に記載の蓄電素子。
【請求項５】
前記一対の近接凸部のそれぞれと、前記一対の離間凸部のそれぞれとは、楕円環状となるように互いに連続する
請求項４に記載の蓄電素子。
【請求項６】
前記注液栓は、前記頭部から延びるとともに前記注液孔に挿入される挿入部を有する
請求項２乃至請求項５の何れか一項に記載の蓄電素子。
【請求項７】
電極体が収容されたケースの壁面を貫通する注液孔を注液栓の頭部によって覆うことと、
該頭部の前記壁面に対向する対向面から突出する突出部を前記壁面に当接させることと、
前記頭部の外縁部を溶接することとを備え、
前記突出部を前記壁面に当接させることでは、
前記突出部の少なくとも一つの凸部であって、前記頭部の外縁部から前記頭部の中央部に向けてずれた位置に形成されるとともに前記対向面から突出する少なくとも一つの凸部を前記壁面に当接させ、且つ該少なくとも一つの凸部と前記頭部の外縁部との間隔、及び前記頭部の外縁部と前記壁面の外縁との間隔のそれぞれを対応させるように該少なくとも一つの凸部を配置する
蓄電素子の製造方法。
【発明の詳細な説明】
【技術分野】
【０００１】
本発明は、注液栓、及び蓄電素子、並びに蓄電素子の製造方法に関し、特に、蓄電素子における電極体を収容するケースの内部と外部とに連通する注液口を塞ぐ注液栓、及び該注液栓を備える蓄電素子、並びに該蓄電素子の製造方法に関する。
【背景技術】
【０００２】
従来から、開口部を有し且つ正極及び負極を含む電極群が収容される外装缶と、該外装缶の開口部に取り付けられる電池封口体とを備える密閉形電池が提供される。かかる密閉形電池では、外装缶内に電解液を注液するための注液口が外装缶若しくは電池封口体に設けられる。これに伴い、密閉形電池は、注液口を封止する封止栓を備える（例えば、特許文献１参照）。
【０００３】
封止栓は、注液口を覆う蓋体を有する。そして、封止栓の蓋体は、レーザ溶接等によって、外装缶若しくは電池封口体に固着される。例えば、注液口が電池封口体に形成される場合、注液口を覆うようにして電池封口体に蓋体を密着させ、該蓋体の周縁をレーザ溶接する。これにより、蓋体が電池封口体に固着される。
【０００４】
ところで、溶接時に蓋体に生じる熱は、該蓋体から電池封口体に拡散する。そして、蓋体から電池封口体に拡散する熱は、該電池封口体における蓋体周りの各領域において異なる。
【０００５】
より具体的に説明する。蓋体の周縁と電池封口体の外縁との間隔が狭い場合、蓋体からの熱が拡散する領域が狭いため、蓋体の熱が電池封口体に拡散し難い。そのため、蓋体の周縁のうちの電池封口体の外縁に近い部分では、溶接に伴って生じる熱が電池封口体に逃げ難い。
【０００６】
その一方で、蓋体の周縁と電池封口体の外縁との間隔が広い場合、蓋体からの熱が拡散する領域が広いため、蓋体の熱が電池封口体に拡散し易い。そのため、蓋体の周縁のうちの電池封口体の外縁から遠い部分では、溶接に伴って生じる熱が電池封口体に逃げ易い。
【０００７】
このように、蓋体の周縁では、溶接時において、周方向における各位置に生じる熱がばらつくことがある。そのため、蓋体の周縁の各位置における電池封口体に対する接合状態がばらつく結果、封止栓が電池封口体に対して良好に接合されないことがある。
【先行技術文献】
【特許文献】
【０００８】
【特許文献１】特開２０１１−２１０６９１号公報
【発明の概要】
【発明が解決しようとする課題】
【０００９】
そこで、本発明は、かかる事情に鑑み、溶接時に生じる熱のばらつきを抑えることによって良好な状態で接合できる注液栓、及び該注液栓を備える蓄電素子、並びに該蓄電素子の製造方法を提供することを目的とする。
【課題を解決するための手段】
【００１０】
本発明に係る注液栓は、
蓄電素子における電極体を収容するケースの壁面に形成される注液孔を覆い且つ前記壁面に対向する対向面を有する頭部であって、外縁部が溶接されて前記壁面に接合される頭部と、
該対向面から突出し且つ前記壁面に当接させる少なくとも一つの凸部を含む突出部と、を有し、
前記少なくとも一つの凸部は、前記頭部の外縁部と前記壁面の外縁との間隔に応じて、前記頭部の外縁部から前記頭部の中央部に向けてずれた位置に形成される。
【００１１】
かかる構成によれば、頭部の対向面から突出する少なくとも一つの凸部を含む突出部を有するため、該凸部を壁面に当接させた状態において頭部の外縁部を溶接すると、溶接時に生じる熱が該少なくとも一つの凸部を介して頭部から壁面に逃げる。
【００１２】
また、前記注液栓では、少なくとも一つの凸部が、頭部の外縁部と壁面の外縁との間隔に応じて、頭部の外縁部から頭部の中央部に向けてずれた位置に形成されるため、頭部の外縁部は、溶接時に周方向の各位置に生じる熱のばらつきが抑えられ、これにより、壁面に対して良好な状態で接合される。
【００１３】
本発明に係る蓄電素子は、
電極体を収容するケースであって、内部と外部とに連通する注液孔が形成される壁面及び該注液孔を塞ぐ注液栓を有するケースを備え、
前記注液栓は、
前記注液孔を覆い且つ前記壁面に対向する対向面を有する頭部と、
該対向面から突出し且つ前記壁面に当接する少なくとも一つの凸部を有する突出部と、
前記頭部の外縁部が溶接されることによって前記壁面に接合された溶接部とを有し、
前記少なくとも一つの凸部は、前記頭部の外縁部と前記壁面の外縁との間隔に応じて、前記頭部の外縁部から前記頭部の中央部に向けてずれた位置に形成される。
【００１４】
かかる構成によれば、少なくとも一つの凸部が頭部の対向面から突出し且つ壁面に当接するため、溶接時に生じる熱が該少なくとも一つの凸部を介して頭部から壁面に逃げる。
【００１５】
このため、少なくとも一つの凸部が、頭部の外縁部と壁面の外縁との間隔に応じて、頭部の外縁部から頭部の中央部に向けてずれた位置に形成されることによって、頭部の外縁部では、溶接時に周方向の各位置に生じる熱のばらつきが抑えられる。従って、溶接部の壁面に対する接合状態のばらつきが抑えられ、これにより、注液栓がケースに対して良好に接合される。
【００１６】
前記蓄電素子において、
前記ケースは、
開口を有する有底角筒形状のケース本体と、
一方向に長い矩形状の蓋板であって、該ケース本体の開口を塞ぐ蓋板とを有し、
前記注液孔を有する壁面は、該蓋板によって構成され、
前記突出部は、
前記凸部としての少なくとも一つの近接凸部であって、頭部の外縁部と長辺との間隔に応じて、蓋板の短辺方向において頭部の外縁部から頭部の中央部に向けてずれた位置に形成される少なくとも一つの近接凸部と、
前記凸部としての少なくとも一つの離間凸部であって、頭部の外縁部と短辺との間隔に応じて、蓋板の長辺方向において頭部の外縁部から頭部の中央部に向けてずれた位置に形成される少なくとも一つの離間凸部と、を有していてもよい。
【００１７】
かかる構成によれば、少なくとも一つの近接凸部は、頭部の外縁部と蓋板の長辺との間隔に応じて、蓋板の短辺方向において頭部の外縁部から頭部の中央部に向けてずれた位置に形成され、且つ少なくとも一つの離間凸部は、頭部の外縁部と短辺との間隔に応じて、蓋板の長辺方向において頭部の外縁部から頭部の中央部に向けてずれた位置に形成されるため、頭部の外縁部では、溶接時に周方向の各位置に生じる熱のばらつきが抑えられ、これにより、注液栓がケースに対して良好に接合される。
【００１８】
この場合、
前記突出部は、
一対の前記近接凸部と、
一対の前記離間凸部と、を有し、
該一対の近接凸部のそれぞれは、蓋板の短辺方向において、前記頭部の中央部の両側に形成され、
前記一対の離間凸部のそれぞれは、蓋板の長辺方向において、前記頭部の中央部の両側に形成されてもよい。
【００１９】
このようにすれば、頭部の外縁部と各長辺との間隔に応じて、一対の近接凸部のそれぞれが蓋板の短辺方向において頭部の外縁部から頭部の中央部に向けてずれた位置に形成され、且つ頭部の外縁部と各短辺との間隔に応じて、一対の離間凸部のそれぞれが蓋板の長辺方向において頭部の外縁部から頭部の中央部に向けてずれた位置に形成されるため、頭部の外縁部では、溶接時に周方向の各位置に生じる熱のばらつきがより抑えられ、これにより、注液栓がケースに対してより良好に接合される。
【００２０】
この場合、
前記一対の近接凸部のそれぞれと、前記一対の離間凸部のそれぞれとは、楕円環状となるように互いに連続してもよい。
【００２１】
かかる構成によれば、一対の近接凸部のそれぞれと、一対の離間凸部のそれぞれとが頭部の中央部周りにおいて楕円環状となるように互いに連続する(すなわち、一対の近接凸部のそれぞれと、一対の離間凸部のそれぞれとが頭部の外縁部の周方向において連続する)ため、外縁部の周方向における全域において、溶接時に生じる熱のばらつきがより確実に抑えられ、これにより、注液栓がケースに対してより良好に接合される。
【００２２】
前記蓄電素子において、
前記注液栓は、前記頭部から延びるとともに前記注液孔に挿入される挿入部を有していてもよい。
【００２３】
かかる構成によれば、挿入部が注液孔に挿入されるため、壁面に対する頭部の位置が決定される。そのため、近接凸部の壁面に対する位置ずれ、及び離間凸部の壁面に対する位置ずれが防止された状態において、頭部の外縁部が溶接される。従って、溶接部全体が壁面に対してより良好に接合される。
【００２４】
本発明に係る蓄電素子の製造方法は、
電極体が収容されたケースの壁面を貫通する注液孔を注液栓の頭部によって覆うことと、
該頭部の前記壁面に対向する対向面から突出する突出部を前記壁面に当接させることと、
前記頭部の外縁部を溶接することとを備え、
前記突出部を前記壁面に当接させることでは、
前記突出部の少なくとも一つの凸部であって、前記頭部の外縁部から前記頭部の中央部に向けてずれた位置に形成されるとともに前記対向面から突出する少なくとも一つの凸部を前記壁面に当接させ、且つ該少なくとも一つの凸部と前記頭部の外縁部との間隔、及び前記頭部の外縁部と前記壁面の外縁との間隔のそれぞれを対応させるように該少なくとも一つの凸部を配置する。
【００２５】
かかる構成によれば、少なくとも一つの凸部を壁面に当接させた状態において、頭部の外縁部を溶接するため、溶接時に頭部に生じる熱が該少なくとも一つの凸部を介して頭部から壁面に逃がすことができる。
【００２６】
また、突出部を壁面に当接させることでは、少なくとも一つの凸部から頭部の外縁部までの間隔、及び頭部の外縁部と壁面の外縁との間隔のそれぞれを対応させるように該少なくとも一つの凸部を配置するため、頭部の外縁部では、溶接時において、周方向の各位置に生じる熱のばらつきが抑えられ、これにより、注液栓がケースに対して良好に接合される。
【発明の効果】
【００２７】
以上のように、本発明によれば、溶接時に生じる熱のばらつきを抑えることによって良好な状態で接合できる注液栓、及び該注液栓を備える蓄電素子、並びに該蓄電素子の製造方法を提供することができる。
【図面の簡単な説明】
【００２８】
【図１】図１は、本発明の一実施形態に係る蓄電素子の斜視図である。
【図２】図２は、同実施形態に係る蓄電素子の正面図である。
【図３】図３は、図１のＩＩＩ―ＩＩＩ線位置の断面図である。
【図４】図４は、同実施形態に係る蓄電素子の分解図である。
【図５】図５は、同実施形態に係る蓄電素子の平面図である。
【図６】図６は、図５のＶＩ−ＶＩ線位置の断面図である。
【図７】図７は、図５のＶＩＩ−ＶＩＩ線位置の断面図である。
【図８】図８は、頭部における近接凸部に対応する部分を溶接している状態を説明するための図である。
【図９】図９は、頭部における離間凸部に対応する部分を溶接している状態を説明するための図である。
【図１０】図１０は、他実施形態に係る蓄電素子の平面図である。
【図１１】図１１は、別の実施形態に係る蓄電素子の平面図である。
【図１２】図１２は、さらに別の実施形態に係る蓄電素子の平面図である。
【図１３】図１３は、さらに別の実施形態に係る蓄電素子の側面図である。
【図１４】図１４は、同実施形態に係る蓄電素子を含む蓄電装置の斜視図である。
【発明を実施するための形態】
【００２９】
以下、本発明に係る注液栓、及び蓄電素子の一実施形態について、添付図面を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００３０】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００３１】
蓄電素子は、図１〜図３に示すように、正極及び負極を含む電極体２と（図３参照）、電極体２を収容するケース３と、ケース３の外側に配置される外部端子４であって電極体２と導通する外部端子４と、を備える。また、蓄電素子１は、電極体２、ケース３、及び外部端子４の他に、電極体２と外部端子４とを導通させる集電体５等を有する（図３参照）。
【００３２】
図３に示すように、電極体２は、巻芯２１と、正極と負極とが互いに絶縁された状態で積層された積層体２２であって、巻芯２１の周囲に巻回された積層体２２と、を備える。電極体２においてリチウムイオンが正極と負極との間を移動することにより、蓄電素子１が充放電する。
【００３３】
図４に示すように、ケース３は、開口を有するケース本体３１と、ケース本体３１の開口を塞ぐ（閉じる）蓋板３２と、を有する。ケース３は、電極体２及び集電体５等と共に、電解液を内部空間３３に収容する（図３参照）。ケース３は、電解液に耐性を有する金属によって形成される。本実施形態のケース３は、例えば、アルミニウム、又は、アルミニウム合金等のアルミニウム系金属材料によって形成される。ケース３は、ステンレス鋼及びニッケル等の金属材料、又は、アルミニウムにナイロン等の樹脂を接着した複合材料等によって形成されてもよい。
【００３４】
前記電解液は、非水溶液系電解液である。電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ4、ＬｉＢＦ4、及びＬｉＰＦ6等である。本実施形態の電解液は、プロピレンカーボネート、ジメチルカーボネート、及びエチルメチルカーボネートを、プロピレンカーボネート：ジメチルカーボネート：エチルメチルカーボネート＝３：２：５の割合で調整した混合溶媒に、１ｍｏｌ／ＬのＬｉＰＦ6を溶解させたものである。
【００３５】
ケース３は、ケース本体３１の開口周縁部３４と、蓋板３２の周縁部とを重ね合わせた状態で接合することによって形成される。そのため、ケース３では、ケース本体３１と蓋板３２とによって内部空間３３が画定される。本実施形態では、ケース本体３１の開口周縁部３４と蓋板３２の周縁部とは、溶接によって接合される。
【００３６】
ケース本体３１は、板状の閉塞部３１１であってケース３の内側を向く内面とケース３の外側を向く外面とを有する閉塞部３１１と、閉塞部３１１の周縁に接続される胴部３１２であって、閉塞部３１１の内面側に延び且つ該内面を包囲する筒状の胴部３１２とを備える。
【００３７】
閉塞部３１１は、開口が上を向くようにケース本体３１が配置されたときに、ケース本体３１の下端に位置する（即ち、前記開口が上を向いたときのケース本体３１の底壁となる）部位である。閉塞部３１１は、該閉塞部３１１の法線方向視において、矩形状である。閉塞部３１１の四隅は円弧状である。
【００３８】
以下では、図１に示すように、閉塞部３１１の長辺方向をＸ軸方向とし、閉塞部３１１の短辺方向をＹ軸方向とし、閉塞部３１１の法線方向をＺ軸方向とする。
【００３９】
本実施形態の胴部３１２は、角筒形状を有する。詳しくは、胴部３１２は、偏平な角筒形状を有する。胴部３１２は、閉塞部３１１の周縁における長辺から延びる一対の長壁部３１３と、閉塞部３１１の周縁における短辺から延びる一対の短壁部３１４とを有する。即ち、一対の長壁部３１３は、Ｙ軸方向に間隔（詳しくは、閉塞部３１１の周縁における短辺に相当する間隔）を空けて対向し、一対の短壁部３１４は、Ｘ軸方向に間隔（詳しくは、閉塞部３１１の周縁における長辺に相当する間隔）を空けて対向する。短壁部３１４が一対の長壁部３１３の対応（詳しくは、Ｙ軸方向に対向）する端部同士をそれぞれ接続することによって、角筒状の胴部３１２が形成される。
【００４０】
以上のように、ケース本体３１は、開口方向（Ｚ軸方向）における一方の端部が塞がれた角筒形状（即ち、有底角筒形状）を有する。
【００４１】
蓋板３２は、ケース本体３１の開口を塞ぐ板状の部材である。蓋板３２は、ケース本体３１の開口を塞ぐようにケース本体３１に当接する。より具体的には、蓋板３２が開口を塞ぐように、蓋板３２の周縁部がケース本体３１の開口周縁部３４に重ねられる。開口周縁部３４と蓋板３２とが重ねられた状態で、蓋板３２とケース本体３１との境界部が溶接される。これにより、ケース３が構成される。
【００４２】
蓋板３２は、Ｚ軸方向視において、ケース本体３１の開口周縁部３４に対応した輪郭形状を有する。即ち、蓋板３２は、Ｚ軸方向視において、Ｘ軸方向に長い矩形状の板材である。そのため、図４に示すように、蓋板３２は、Ｘ軸方向に延び且つ互いに平行な一対の長辺３２１と、該一対の長辺３２１のそれぞれに繋がり且つ互いに平行な一対の短辺３２２とを有する。蓋板３２の四隅は、円弧状である。
【００４３】
ケース３には、電解液を注入するための注液孔３２３が設けられる。より具体的に説明する。ケース３は、内部と外部とに連通する注液孔３２３が形成される壁面を有する。
【００４４】
本実施形態では、前記壁面が蓋板３２によって構成される。すなわち、注液孔３２３は、蓋板３２に設けられる。注液孔３２３は、蓋板３２をＺ軸方向（厚さ方向）に貫通する。注液孔３２３は、円形の穴である。そして、注液孔３２３から各短辺３２２までの間隔は、注液孔３２３から各長辺３２１までの間隔よりも広い。
【００４５】
上述のように、ケース３は、電解液を注入するための注液孔３２３が設けられる。これに伴い、ケース３は、注液孔３２３を塞ぐ注液栓３５をさらに有する。そのため、ケース３では、注液孔３２３が注液栓３５によって密閉される（塞がれる）。
【００４６】
注液栓３５は、溶接によってケース３（本実施形態の例では蓋板３２）に固定される。具体的には、注液栓３５は、図５乃至図７に示すように、注液孔３２３を覆う頭部３５１と、頭部３５１から突出し且つ壁面に当接する少なくとも一つの凸部を有する突出部３５２とを有する。また、注液栓３５は、頭部３５１から延びる挿入部３５３を有する。さらに、注液栓３５は、頭部３５１の外縁部が全周に亘って溶接されることによってケース３に接合された溶接部３５４を有する（図６、及び図７参照）。
【００４７】
頭部３５１は、注液孔３２３を覆う部位である。頭部３５１は、Ｚ軸方向視において注液孔３２３より大きい。具体的に、頭部３５１は、板状の部位であり、蓋板３２と重なるようにして注液孔３２３を覆う。本実施形態の頭部３５１は、Ｚ軸方向視において略円形の輪郭を有する。即ち、頭部３５１は、円板状の部位である。
【００４８】
頭部３５１における蓋板３２と反対の面の中央に、基準凹部３５５が設けられる。基準凹部３５５は、頭部３５１の周縁と蓋板３２とを溶接（自動溶接）するときの溶接位置を決めるための基準等として用いられる。
【００４９】
突出部３５２において、少なくとも一つの凸部は、頭部３５１の外縁部と壁面の外縁との間隔に応じて、頭部３５１の外縁部から頭部３５１の中央部に向けてずれた位置に形成される。
【００５０】
凸部から頭部３５１の外縁部までの間隔（距離）は、頭部３５１の外縁部から壁面の外縁までの間隔（距離）に基づいて決められる。本実施形態では、蓋板３２に注液孔３２３が設けられるため、凸部から頭部３５１の外縁部までの間隔は、頭部３５１の外縁部と、蓋板３２の長辺３２１との間隔、又は頭部３５１の外縁部と、蓋板３２の短辺３２２との間隔に基づいて決められる。
【００５１】
本実施形態に係る突出部３５２は、凸部としての少なくとも一つの近接凸部３５６であって、頭部３５１の外縁部と蓋板３２の長辺３２１との間隔に応じて、Ｙ軸方向において頭部３５１の外縁部から頭部３５１の中央部に向けてずれた位置に形成される少なくとも一つの近接凸部３５６と、凸部としての少なくとも一つの離間凸部３５７であって、頭部３５１の外縁部と蓋板３２の短辺３２２との間隔に応じて、Ｘ軸方向において頭部３５１の外縁部から頭部の中央部に向けてずれた位置に形成される少なくとも一つの離間凸部３５７と、を有する。
【００５２】
本実施形態において、突出部３５２は、Ｙ軸方向において、頭部３５１の中央部を介して並ぶ一対の前記近接凸部３５６と、Ｘ軸方向において、頭部３５１の中央部を介して並ぶ一対の前記離間凸部３５７とを有する。
【００５３】
頭部３５１の中央部周りには、該頭部３５１を中心とする周方向において、近接凸部３５６と、離間凸部３５７とが交互に配置される。また、各近接凸部３５６と、各離間凸部３５７とは、頭部３５１の中央部を包囲するように互いに連続する。さらに、各近接凸部３５６と、各離間凸部３５７とは、円環状（本実施形態では、楕円環状）となるように互いに連続する。
【００５４】
図６、及び図７に示すように、離間凸部３５７と頭部３５１の外縁との間隔Ｄ２は、近接凸部３５６と頭部３５１の外縁との間隔Ｄ１よりも広い。さらに、離間凸部３５７とケース３の外縁（蓋板３２の短辺３２２）との間隔は、近接凸部３５６とケース３の外縁（蓋板３２の長辺３２１）との間隔よりも広い。
【００５５】
挿入部３５３は、頭部３５１から注液孔３２３を通ってケース３内に延びる。即ち、挿入部３５３は、頭部３５１から延びる柱状の部位である。本実施形態の挿入部３５３は、頭部３５１から該頭部３５１の拡がり方向と直交する方向に延びる略円柱状の部位である。挿入部３５３の先端側の部位（先端を含む部位）では、外径が先端に向かって漸減する。即ち、挿入部３５３の先端部（頭部３５１と反対側の端部）の外径は、該挿入部３５３の基部（頭部３５１側の端部）の外径より小さい。挿入部３５３の基部は、蓋板３２の注液孔３２３よりも僅かに大きい。即ち、挿入部３５３の基部の外径は、蓋板３２の注液孔３２３の内径よりも僅かに大きい。このため、注液栓３５を蓋板３２に取り付けるときには、挿入部３５３が注液孔３２３に圧入される。
【００５６】
外部端子４は、他の蓄電素子の外部端子又は外部機器等と電気的に接続される部位である。外部端子４は、導電性を有する部材によって形成される。例えば、外部端子４は、アルミニウム又はアルミニウム合金等のアルミニウム系金属材料、銅又は銅合金等の銅系金属材料等の溶接性の高い金属材料によって形成される。
【００５７】
集電体５は、ケース３内に配置され、電極体２と外部端子４とを通電可能に接続する。集電体５は、導電性を有する部材によって形成され、ケース３の内面に沿って配置される。集電体５は、正極と負極とにそれぞれ接続される。
【００５８】
蓄電素子１は、電極体２とケース３とを絶縁する絶縁部材６等を備える。本実施形態の絶縁部材６は、例えば、絶縁カバーである。図３、及び図４に示すように、絶縁カバー６は、ケース３（詳しくはケース本体３１）と電極体２との間に配置される。
【００５９】
次に、蓄電素子１の製造方法について、添付図面を参照しつつ説明する。
【００６０】
まず、蓄電素子１の製造方法では、電極体２が収容されたケース３の内部と外部とに連通する注液孔３２３から該ケース３内に電解液を注入する。本実施形態では、蓋板３２に形成された注液孔３２３からケース３内に電解液を注入する。そして、注液孔３２３を注液栓３５の頭部３５１によって覆い、頭部３５１の突出部３５２をケース３の壁面に当接させる。本実施形態では、頭部３５１の突出部３５２を蓋板３２に当接させる。
【００６１】
そして、一対の近接凸部３５６のそれぞれを別々の長辺３２１に対応させて配置し、且つ一対の離間凸部３５７のそれぞれを別々の短辺３２２に対応させて配置する。これにより、Ｙ軸方向における近接凸部３５６から頭部３５１の外縁部までの間隔と、頭部３５１の外縁部から蓋板３２の長辺３２１までの間隔とが対応し、Ｘ軸方向における離間凸部３５７から頭部３５１の外縁部までの間隔と、頭部３５１の外縁部から蓋板３２の短辺３２２までの間隔とが対応する。
【００６２】
そして、頭部３５１の外縁部を蓋板３２に溶接する。本実施形態では、図７、及び図８に示すように、頭部３５１の外縁部を全周に亘ってレーザ溶接する。このとき、頭部３５１に生じる熱が各近接凸部３５６と、各離間凸部３５７とを介して蓋板３２に逃げる。なお、溶けた頭部３５１の外縁部が蓋板３２に当接すると、溶接時に頭部３５１に生じる熱は、各近接凸部３５６と、各離間凸部３５７とに加えて、該頭部３５１の外縁部からも蓋板３２に逃げる。
【００６３】
蓋板３２において、頭部３５１の外縁部から蓋板３２の外縁までの間隔が広い領域では、各近接凸部３５６と、各離間凸部３５７と、溶接されることによって溶けた頭部３５１の外縁部とから逃げた熱が拡散し易い。
【００６４】
その一方で、蓋板３２において、頭部３５１の外縁部から蓋板３２の外縁までの間隔が狭い領域では、各近接凸部３５６と、各離間凸部３５７と、溶接されることによって溶けた頭部３５１の外縁部とから逃げた熱が拡散し難い。
【００６５】
従って、本実施形態に係る蓋板３２では、頭部３５１の外縁部と各短辺３２２との間の領域には、頭部３５１の外縁部と各長辺３２１との間の領域よりも、溶接時に生じる熱が拡散し易い。
【００６６】
そして、各近接凸部３５６、及び各離間凸部３５７は、頭部３５１の外縁部との間隔が広ければ（すなわち、各近接凸部３５６と溶接位置との間隔が広ければ）、溶接時に生じる熱が逃げ難い。
【００６７】
その一方で、各近接凸部３５６、及び各離間凸部３５７は、頭部３５１の外縁部との間隔が狭ければ（すなわち、各近接凸部３５６と溶接位置との間隔が狭ければ）、溶接時に生じる熱が逃げ易い。
【００６８】
本実施形態では、頭部３５１の外縁部と蓋板３２の短辺３２２との間隔が、近接凸部３５６と蓋板３２の短辺３２２との間隔よりも広い。そのため、蓋板３２において、頭部３５１の外縁部と蓋板３２の短辺３２２との間の領域には、頭部３５１の外縁部と蓋板３２の長辺３２１との間の領域よりも、溶接時に生じる熱が拡散し易い。
【００６９】
その一方で、各離間凸部３５７は、各近接凸部３５６よりも頭部３５１の溶接位置から離れた位置に形成されるため、頭部３５１のうちの各離間凸部３５７に対応する部分では、溶接時に頭部３５１に生じる熱が離間凸部３５７から蓋板３２に逃げ難い。
【００７０】
さらに、蓋板３２における、頭部３５１の外縁部と蓋板３２の長辺３２１との間の領域には、溶接時に生じる熱が拡散し難いが、頭部３５１のうちの各近接凸部３５６に対応する部分では、溶接時に頭部３５１に生じる熱が蓋板３２に逃げ易い。
【００７１】
このように、蓄電素子１の製造方法では、ケース３のうちの溶接時に生じる熱が拡散し易い領域に離間凸部３５７を配置し、且つケース３のうちの溶接時に生じる熱が拡散し難い領域に近接凸部３５６を配置した状態において、頭部３５１の外縁部を溶接する。従って、蓄電素子１の製造方法では、溶接時に生じる熱のばらつきを抑えつつ、頭部３５１の外縁部を溶接することができる。これにより、蓋板３２に対して良好に接合された溶接部３５４が形成される。
【００７２】
以上のように、本実施形態に係る蓄電素子１では、各近接凸部３５６が、頭部３５１の外縁部と蓋板３２の長辺３２１との間隔に応じて、頭部３５１の外縁部から頭部３５１の中央部に向けてずれた位置に形成され、各離間凸部３５７が、頭部３５１の外縁部と蓋板３２の短辺３２２との間隔に応じて、頭部３５１の外縁部から頭部３５１の中央部に向けてずれた位置に形成されることによって、頭部３５１の外縁部では、溶接時に周方向の各位置において生じる熱のばらつきが抑えられる。従って、溶接部３５４の蓋板３２に対する接合状態のばらつきが抑えられ、これにより、注液栓３５がケース３に対して良好に接合される。
【００７３】
また、蓄電素子１では、各近接凸部３５６及び各離間凸部３５７のそれぞれが頭部３５１の中央部周りにおいて環状（本実施形態では、楕円環状）となる （すなわち、凸部が頭部３５１の外縁部の周方向において連続する）ため、頭部３５１の外縁部では、周方向における全域において、溶接時に生じる熱のばらつきがより確実に抑えられ、これにより、注液栓３５がケース３に対してより良好に接合される。
【００７４】
さらに、注液栓３５が頭部３５１から延びるとともに注液孔３２３に挿入される挿入部３５３を有するため、近接凸部３５６のケース３に対する位置ずれ、及び離間凸部３５７のケース３に対する位置ずれが防止された状態において頭部３５１の外縁部が溶接されている。従って、蓄電素子１では、溶接部３５４全体がケース３に対してより良好に接合されている。
【００７５】
本実施形態に係る蓄電素子１の製造方法では、各近接凸部３５６から頭部３５１の外縁部までの間隔と、頭部３５１の外縁部から蓋板３２の長辺３２１までの間隔とを互いに対応させ、さらに、各離間凸部３５７から頭部３５１の外縁部までの間隔、及び頭部３５１の外縁部から蓋板３２の短辺３２２までの間隔とを互いに対応させるため、頭部３５１の外縁部では、溶接時において、周方向の各位置に生じる熱のばらつきが抑えられ、これにより、注液栓３５がケース３に対して良好に接合される。
【００７６】
また、蓄電素子１の製造方法では、頭部３５１の中央部周りにおいて環状（本実施形態では、楕円環状）となるように互いに連続する （すなわち、凸部が頭部３５１の外縁部の周方向において互いに連続する）各近接凸部３５６及び各離間凸部３５７のそれぞれを蓋板３２に当接させるため、頭部３５１の外縁部では、周方向における全域において、溶接時に生じる熱のばらつきがより確実に抑えられ、これにより、注液栓３５がケース３に対してより良好に接合される。
【００７７】
さらに、蓄電素子１の製造方法では、注液孔３２３を頭部３５１によって覆うときに、頭部３５１から延出する挿入部３５３を注液孔３２３に挿入するため、ケース３に対する注液栓３５の位置を決定することができる。従って、蓄電素子１の製造方法では、近接凸部３５６の位置と、離間凸部３５７の位置とを調整し易い。
【００７８】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７９】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００８０】
上記実施形態において、突出部３５２は、凸部としての一対の近接凸部３５６と、凸部としての一対の離間凸部３５７とを有するが、この構成に限定されない。例えば、突出部３５２は、凸部としての一つの近接凸部３５６又は三つ以上の近接凸部３５６と、凸部としての一つの離間凸部３５７又は三つ以上の離間凸部３５７とを有していてもよい。
【００８１】
上記実施形態において、各近接凸部３５６と各離間凸部３５７とは、互いに連続するが、この構成に限定されない。例えば、各近接凸部３５６は、図１０に示すように、隣り合う各離間凸部３５７との間に隙間をあけて形成されていてもよい。なお、図１０に示す、各近接凸部３５６の長さは、互いに同一又は略同一であるが、各近接凸部３５６の長さは、互いに異なっていてもよい。また、図１０では、各離間凸部３５７の長さも、互いに同一又は略同一であるが、各離間凸部３５７の長さは、互いに異なっていてもよい。さらに、近接凸部３５６の長さと、離間凸部３５７の長さとが互いに異なっていてもよい。
【００８２】
この場合、溶接時に生じる熱が各近接凸部３５６と各離間凸部３５７とを介して頭部３５１から蓋板３２に逃げる。そのため、頭部３５１の外縁部では、溶接時に周方向の各位置に生じる熱のばらつきがより抑えられ、これにより、注液栓３５がケース３に対してより良好に接合される。
【００８３】
上記実施形態において、各近接凸部３５６と、各離間凸部３５７とは、楕円環状となるように互いに連続するが、この構成に限定されない。例えば、図１１に示すように、各近接凸部３５６と各離間凸部３５７とは、角環状となるように互いに連続していてもよい。
【００８４】
上記実施形態において、注液孔３２３は、Ｘ軸方向における蓋板３２の中央部に設けられていたが、この構成に限定されない。例えば、注液孔３２３は、Ｘ軸方向における蓋板３２の一端部に設けられていてもよいし、Ｘ軸方向における蓋板３２の他端部に設けられていてもよい。
【００８５】
例えば、図１２に示すように、注液孔３２３がＸ軸方向における蓋板３２の一端部に設ける蓄電素子１では、注液孔３２３と一方の短辺３２２との間隔が、注液孔３２３と各長辺３２１との間隔や、注液孔３２３と他方の短辺３２２との間隔よりも広い。
【００８６】
そのため、注液孔３２３の突出部３５２は、各長辺３２１、及び他方の短辺３２２のそれぞれに対応するように配置される三つの近接凸部３５６と、一方の短辺３２２に対応するように配置される一つの離間凸部３５７とを有する。
【００８７】
さらに、注液孔３２３は、ケース本体３１に設けられていてもよい。すなわち、注液孔３２３は、ケース本体３１の長壁部３１３や、ケース本体３１の短壁部３１４に設けられていてもよい。
【００８８】
例えば、図１３に示すように、注液孔３２３がケース本体３１の短壁部３１４に設けられる蓄電素子１では、注液孔３２３と短壁部３１４の下端縁との間隔が、注液孔３２３と短壁部３１４の下端縁とは別の三つの端縁のそれぞれとの間隔よりも広い。
【００８９】
そのため、注液孔３２３の突出部３５２は、短壁部３１４の下端縁とは別の三つの端縁のそれぞれに対応するように配置される三つの近接凸部３５６と、短壁部３１４の下端縁に対応するように配置される一つの離間凸部３５７とを有する。
【００９０】
蓄電素子（例えば電池）は、図１４に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。なお、注液栓３５は、図１３や、図１４に示すように、近接凸部３５６の数が離間凸部３５７よりも多くすることによって、溶接時に頭部３５１に生じる熱をケース３（壁面）に放熱し易くすることができる。
【符号の説明】
【００９１】
１…蓄電素子、２…電極体、３…ケース、４…外部端子、５…集電体、６…絶縁部材（絶縁カバー）、１１…蓄電装置、１２…バスバ部材、２１…巻芯、２２…積層体、３１…ケース本体、３２…蓋板、３３…内部空間、３４…開口周縁部、３５…注液栓、３１１…閉塞部、３１２…胴部、３１３…長壁部、３１４…短壁部、３２１…長辺、３２２…短辺、３２３…注液孔、３５１…頭部、３５２…突出部、３５３…挿入部、３５４…溶接部、３５５…基準凹部、３５６…近接凸部、３５７…離間凸部、Ｄ１…近接凸部と頭部の外縁との間隔、Ｄ２…離間凸部と頭部の外縁との間隔
【図１】
2017016786.tif 000003
【図２】
2017016786.tif 000004
【図３】
2017016786.tif 000005
【図４】
2017016786.tif 000006
【図５】
2017016786.tif 000007
【図６】
2017016786.tif 000008
【図７】
2017016786.tif 000009
【図８】
2017016786.tif 000010
【図９】
2017016786.tif 000011
【図１０】
2017016786.tif 000012
【図１１】
2017016786.tif 000013
【図１２】
2017016786.tif 000014
【図１３】
2017016786.tif 000015
【図１４】
2017016786.tif 000016